Podtech/llm-jp-corpus-v4-ja_patent huggingface dataset:
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
乳房が挿入される乳房挿入口が設けられた前面板と、前記乳房挿入口に連なる乳房挿入部と、を有するガントリと、
前記ガントリの内部に配置され、Ｘ線放出部を有するＸ線発生管と、
前記ガントリの内部に配置され、前記乳房挿入部を間において前記Ｘ線放出部と対向するＸ線検出器と、
前記乳房挿入部を通る回転軸の周りに、前記Ｘ線発生管及び前記Ｘ線検出器を同期させて回転させる回転駆動部と、を有し、
前記Ｘ線放出部から前記乳房挿入部を介して前記Ｘ線検出器へ向けてＸ線を照射する乳房断層撮影装置であって、
前記乳房挿入部と前記Ｘ線放出部との間において、前記回転軸の周りに前記Ｘ線発生管と同期して回転するコリメータを有し、前記コリメータは、前記回転軸と直交する径方向において前記乳房挿入部の側に位置していることを特徴とする乳房断層撮影装置。
【請求項２】
前記前面板は、前記径方向において前記コリメータより外側に位置し前記乳房挿入口の周囲を囲む環状のＸ線遮蔽部を有しており、前記コリメータと前記Ｘ線遮蔽部とは、前記径方向において互いに重なる部分を有することを特徴とする請求項１に記載の乳房断層撮影装置。
【請求項３】
前記コリメータは、前記回転経路に亘り、前記Ｘ線遮蔽部に重なる部分を有することを特徴とする請求項２に記載の乳房断層撮影装置。
【請求項４】
前記Ｘ線遮蔽部は、前記コリメータと重なる部分に前記回転軸に対して傾いたテーパ面を有し、前記コリメータは、前記テーパ面に対向し傾斜する傾斜面を有することを特徴とする請求項２または３に記載の乳房断層撮影装置。
【請求項５】
前記テーパ面において、前記Ｘ線遮蔽部は前記前面板から離れるに従って内径が拡大することを特徴とする請求項４に記載の乳房断層撮影装置。
【請求項６】
前記コリメータは、前記前面板と対向する側の端部に前記傾斜面を有することを特徴とする請求項４又は５に記載の乳房断層撮影装置。
【請求項７】
前記前面板は、前記径方向において前記コリメータより内側に位置し前記乳房挿入口の周囲を囲む環状の内側Ｘ線遮蔽部を有し、前記内側Ｘ線遮蔽部は、前記回転軸に沿って突出する環状の突出部を有し、前記突出部と前記コリメータとが前記径方向において重なる部分を有することを特徴とする請求項２又は３に記載の乳房断層撮影装置。
【請求項８】
前記突出部は、前記前面板から離れる方向に向かって前記内側Ｘ線遮蔽部より突出することを特徴とする請求項７に記載の乳房断層撮影装置。
【請求項９】
前記Ｘ線放出部から見て、前記Ｘ線遮蔽部が前記コリメータの手前に重なる部分を有することを特徴とする請求項２又は３に記載の乳房断層撮影装置。
【請求項１０】
前記前面板は、前記径方向において前記コリメータより内側に位置し前記乳房挿入口の周囲を囲む環状の内側Ｘ線遮蔽部を有し、前記Ｘ線放出部から見て、前記コリメータが前記内側Ｘ線遮蔽部の手前に重なる部分を有することを特徴とする請求項２又は３に記載の乳房断層撮影装置。
【請求項１１】
前記コリメータは、前記前面板と対向する側の端部において前記Ｘ線遮蔽部と重なることを特徴とする請求項２乃至１０のいずれか一項に記載の乳房断層撮影装置。
【請求項１２】
前記コリメータは、前記径方向において外側に凸に湾曲していることを特徴とする請求項１乃至１１のいずれか一項に記載の乳房断層撮影装置。
【請求項１３】
前記コリメータの曲率中心は、前記回転軸に重なって位置していることを特徴とする請求項１２に記載の乳房断層撮影装置。
【請求項１４】
前記コリメータは、前記前面板の側が開放されていることを特徴とする請求項１乃至１３のいずれか一項に記載の乳房断層撮影装置。
【手続補正２】
【補正対象書類名】明細書
【補正対象項目名】発明の名称
【補正方法】変更
【補正の内容】
【発明の名称】乳房断層撮影装置
【手続補正３】
【補正対象書類名】明細書
【補正対象項目名】０００８
【補正方法】変更
【補正の内容】
【０００８】
本発明は、上記目的のために、乳房が挿入される乳房挿入口が設けられた前面板と、前記乳房挿入口に連なる乳房挿入部と、を有するガントリと、
前記ガントリの内部に配置され、Ｘ線放出部を有するＸ線発生管と、
前記ガントリの内部に配置され、前記乳房挿入部を間において前記Ｘ線放出部と対向するＸ線検出器と、
前記乳房挿入部を通る回転軸の周りに、前記Ｘ線発生管及び前記Ｘ線検出器を同期して回転させる回転駆動部と、を有し、
前記Ｘ線放出部から前記乳房挿入部を介して前記Ｘ線検出器へ向けてＸ線を照射する乳房断層撮影装置であって、
前記乳房挿入部と前記Ｘ線放出部との間において、前記回転軸の周りに前記Ｘ線発生管と同期して回転するコリメータを有し、前記コリメータは、前記回転軸と直交する径方向において前記乳房挿入部の側に位置していることを特徴とする乳房断層撮影装置を提供するものである。
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
乳房が挿入される乳房挿入口が設けられた前面板と、前記乳房挿入口に連なる乳房挿入部と、を有するガントリと、
前記ガントリの内部に配置され、Ｘ線放出部を有するＸ線発生管と、
前記ガントリの内部に配置され、前記乳房挿入部を間において前記Ｘ線放出部と対向するＸ線検出器と、
前記乳房挿入部を通る回転軸の周りに、前記Ｘ線発生管及び前記Ｘ線検出器を同期させて回転させる回転駆動部と、を有し、
前記Ｘ線放出部から前記乳房挿入部を介して前記Ｘ線検出器へ向けてＸ線を照射する乳房断層撮影装置であって、
前記乳房挿入部の周囲を囲んで前記前面板に備えられた環状のＸ線遮蔽部を有し、
前記Ｘ線検出器が、前記回転軸に直交する径方向において前記Ｘ線遮蔽部と重なる部分を有することを特徴とする乳房断層撮影装置。
【請求項２】
前記Ｘ線検出器は、複数のＸ線検出素子を有しＸ線を検出可能な検出エリアと、前記検出エリアの周縁に位置しＸ線が検出されない非検出エリアと、を有しており、前記Ｘ線検出器の前記Ｘ線遮蔽部と重なる部分は前記非検出エリアであることを特徴とする請求項１に記載の乳房断層撮影装置。
【請求項３】
前記Ｘ線遮蔽部は、前記回転軸方向に厚さを有する肉厚部を有し、前記肉厚部において前記Ｘ線検出器と重なる部分を有することを特徴とする請求項１又は２に記載の乳房断層撮影装置。
【請求項４】
前記Ｘ線遮蔽部は、前記前面板の内周側に位置する内周Ｘ線遮蔽部と、隙間を介して前記内周Ｘ線遮蔽部の外側に位置する外周Ｘ線遮蔽部とを有し、前記隙間内において、前記Ｘ線検出器は前記Ｘ線遮蔽部と重なることを特徴とする請求項１乃至３のいずれか１項に記載の乳房断層撮影装置。
【請求項５】
前記Ｘ線放出部から前記乳房挿入部へのＸ線照射領域と接する前記隙間に位置し、前記回転軸の周りを前記Ｘ線検出器と同期して同方向に回転するＸ線副遮蔽部を有することを特徴とする請求項請求項４に記載の乳房断層撮影装置。
【請求項６】
前記Ｘ線副遮蔽部は、前記乳房挿入口を間において前記Ｘ線検出器と反対側に位置することを特徴とする請求項５に記載の乳房断層撮影装置。
【請求項７】
前記Ｘ線遮蔽部の外周縁と前記前面板の外周縁との間に隙間が設けられ、前記隙間内において、前記Ｘ線検出器は前記Ｘ線遮蔽部と重なることを特徴とする請求項１乃至３のいずれか１項に記載の乳房断層撮影装置。
【請求項８】
前記Ｘ線放出部から見て、前記Ｘ線遮蔽部が前記Ｘ線検出器の手前に重なる部分を有することを特徴とする請求項１乃至３のいずれか１項に記載の乳房断層撮影装置。
【請求項９】
前記Ｘ線放出部から見て、前記Ｘ線検出器が前記Ｘ線遮蔽部の手前に重なる部分を有することを特徴とする請求項１乃至３、８のいずれか１項に記載の乳房断層撮影装置。
【請求項１０】
前記Ｘ線検出器は、前記前面板と対向する側の端部において前記Ｘ線遮蔽部と重なることを特徴とする請求項１乃至９のいずれか一項に記載の乳房断層撮影装置。
【請求項１１】
前記Ｘ線検出器は、前記径方向において外側に凸に湾曲していることを特徴とする請求項１乃至１０のいずれか一項に記載の乳房断層撮影装置。
【請求項１２】
前記Ｘ線検出器の曲率中心は、前記回転軸に重なって位置していることを特徴とする請求項１１に記載の乳房断層撮影装置。
【手続補正２】
【補正対象書類名】明細書
【補正対象項目名】発明の名称
【補正方法】変更
【補正の内容】
【発明の名称】乳房断層撮影装置
【手続補正３】
【補正対象書類名】明細書
【補正対象項目名】０００８
【補正方法】変更
【補正の内容】
【０００８】
本発明は、上記目的のために、乳房が挿入される乳房挿入口が設けられた前面板と、前記乳房挿入口に連なる乳房挿入部と、を有するガントリと、
前記ガントリの内部に配置され、Ｘ線放出部を有するＸ線発生管と、
前記ガントリの内部に配置され、前記乳房挿入部を間において前記Ｘ線放出部と対向するＸ線検出器と、
前記乳房挿入部を通る回転軸の周りに、前記Ｘ線発生管及び前記Ｘ線検出器を同期させて回転させる回転駆動部と、を有し、
前記Ｘ線放出部から前記乳房挿入部を介して前記Ｘ線検出器へ向けてＸ線を照射する乳房断層撮影装置であって、
前記乳房挿入部の周囲を囲んで前記前面板に備えられた環状のＸ線遮蔽部を有し、
前記Ｘ線検出器が、前記回転軸に直交する径方向において前記Ｘ線遮蔽部と重なる部分を有することを特徴とする乳房断層撮影装置を提供するものである。
【手続補正書】
【提出日】平成28年11月18日(2016.11.18)
【手続補正１】
【補正対象書類名】明細書
【補正対象項目名】０００８
【補正方法】変更
【補正の内容】
【０００８】
本発明は以上のような事情に鑑みてなされたものであり、簡易な装置構成により、複数種の芳香を確実に放出させることができる芳香装置を提供することを目的とするものである。
【手続補正２】
【補正対象書類名】明細書
【補正対象項目名】０００９
【補正方法】変更
【補正の内容】
【０００９】
前記課題を解決するために、本発明に係る芳香装置は、複数種の香料を個別に収容可能でかつ、それぞれが芳香を外部に放出する放出口を有する複数の香料容器と、前記複数の香料容器それぞれを個別に着脱可能に収容する香料容器収容室と、前記香料容器収容室に収められた前記複数の香料容器の夫々について個別に、前記放出口を塞ぐ閉塞状態と前記放出口を開放させる開放状態とを作出可能な香料放出機構と、前記複数の香料容器の前記放出口に対する送風を行なうために共通して設けられた、１つの送風用モータ及び１つの送風ファンを有する送風装置と、を有することを特徴としている。
【手続補正３】
【補正対象書類名】明細書
【補正対象項目名】００１０
【補正方法】変更
【補正の内容】
【００１０】
本発明によれば、簡易な装置構成により、複数種の芳香を確実に放出させることができるという効果を奏する。
【手続補正４】
【補正対象書類名】特許請求の範囲
【補正対象項目名】全文
【補正方法】変更
【補正の内容】
【特許請求の範囲】
【請求項１】
複数種の香料を個別に収容可能でかつ、それぞれが芳香を外部に放出する放出口を有する複数の香料容器と、
前記複数の香料容器それぞれを個別に着脱可能に収容する香料容器収容室と、
前記香料容器収容室に収められた前記複数の香料容器の夫々について個別に、前記放出口を塞ぐ閉塞状態と前記放出口を開放させる開放状態とを作出可能な香料放出機構と、
前記複数の香料容器の前記放出口に対する送風を行なうために共通して設けられた、１つの送風用モータ及び１つの送風ファンを有する送風装置と、
を有することを特徴とする芳香装置。
【請求項２】
前記複数の香料容器それぞれは、芳香を外部に放出する放出口と空気の供給口とを有し、
前記香料放出機構は、前記香料容器収容室に収められた前記複数の香料容器の夫々について個別に、前記供給口及び前記放出口を塞ぐ前記閉塞状態と、前記供給口及び前記放出口を前記送風ファンから送風される空気の通路中に開放させる前記開放状態とを作出可能である、
ことを特徴とする請求項１に記載の芳香装置。
【請求項３】
前記香料容器収容室は、前記複数の香料容器それぞれに対応して複数設けられるとともに、夫々が開口部を有し、
前記香料放出機構は、前記香料容器の放出口と前記香料容器収容室の開口部との位置関係を変化させることにより、前記閉塞状態と前記開放状態とを作出する、
ことを特徴とする請求項１または２に記載の芳香装置。
【請求項４】
前記香料容器収容室に対して前記香料容器を移動させる容器開口用モータを備え、
前記香料放出機構は、前記容器開口用モータにより前記香料容器を移動させることで、前記供給口及び前記放出口の両方を同時に開閉する、
ことを特徴とする請求項３に記載の芳香装置。
【請求項５】
前記香料放出機構は、外部からの指示に応じて前記閉塞状態と前記開放状態とを選択的に作出する、
ことを特徴とする請求項１から請求項４のいずれか一項に記載の芳香装置。
【請求項６】
前記各香料容器から放出された複数種の芳香をブレンドするブレンド室と、
前記ブレンド室でブレンドされた芳香を装置外部に放出する外部放出口と、
を備えたことを特徴とする請求項１から請求項５のいずれか一項に記載の芳香装置。
【請求項７】
前記香料容器収容室が周囲に配置された香料収容室を備え、
前記香料収容室は、前記複数の香料容器収容室それぞれに対応して、前記送風ファンから送風される空気の通路に面して設けられた開口部を有し、
前記香料放出機構は、外部からの指示があったときのみ、前記供給口が前記開口部に合う位置まで、前記香料容器収容室内に収容された前記香料容器を移動させて、前記供給口が前記香料収容室に開放され前記放出口が前記ブレンド室に開放された開放状態を作出することを特徴とする請求項６に記載の芳香装置。
【請求項８】
前記送風ファンは、前記装置筐体の底部に配置されるとともに、当該装置筐体内の上方向に向かって送風するように構成され、前記ブレンド室は、前記香料収容室の上部に隔壁を隔てて設けられていることを特徴とする請求項６又は請求項７に記載の芳香装置。
【請求項９】
前記複数の香料容器収容室それぞれは、上部が前記ブレンド室に向けて開放され、
前記香料放出機構は、前記閉塞状態において各香料容器に設けられた前記放出口を前記香料容器収容室内にて塞ぎ、外部からの指示があったときのみ、前記各香料容器を上方向に移動させて、前記放出口を前記ブレンド室に開放させて開放状態とすることを特徴とする請求項６から請求項８のいずれか一項に記載の芳香装置。
【請求項１０】
前記香料容器は、
香料を収容するとともに第１の供給口及び第１の放出口が設けられた外ケースと、
前記第１の供給口及び前記第１の放出口に対応する位置に第２の供給口及び第２の放出口が設けられるとともに前記外ケース内から前記香料を吸い上げる吸い上げ芯を底部から突出させた中ケースと、
を有し、
前記吸い上げ芯の先端部が前記外ケース内に収容された香料に浸された状態となるように、前記中ケースを前記外ケースに挿入してなり、
前記中ケースが前記外ケースに挿入された状態において、前記供給口は、前記外ケースの前記第１の供給口と前記中ケースの前記第２の供給口とで構成され、前記放出口は、前記外ケースの前記第１の放出口と前記中ケースの前記第２の放出口とで構成されることを特徴とする請求項１から請求項９のいずれか一項に記載の芳香装置。
【手続補正書】
【提出日】平成28年11月14日(2016.11.14)
【手続補正１】
【補正対象書類名】明細書
【補正対象項目名】０００７
【補正方法】変更
【補正の内容】
【０００７】
本実施形態に係る手術情報管理装置は、指示マスタ、データベース、イベント認識部及び表示画面作成部を具備する。指示マスタは、手術において実施され得る医療行為についての情報が予め記録される。データベースは、被検体の状態を収集する異常状態収集装置により取得される生体データと、ビデオカメラ及び術野カメラにより前記手術中の様子を撮影した動画データと、前記被検体を検査する検査装置により取得される検査データとを記録する。イベント認識部は、前記生体データにおける異常値の発生、及び、異常値から正常値への回復を、前記イベントとして認識する。表示画面作成部は、前記認識したイベントを発生時刻順に並べ、前記認識したイベント、前記動画データ及び前記検査データの時間軸を合わせた表示画面を作成する。
【手続補正２】
【補正対象書類名】特許請求の範囲
【補正対象項目名】全文
【補正方法】変更
【補正の内容】
【特許請求の範囲】
【請求項１】
手術において実施され得る医療行為についての情報が予め記録される指示マスタと、
被検体の状態を収集する状態収集装置により取得される生体データと、ビデオカメラ及び術野カメラにより前記手術中の様子を撮影した動画データと、前記被検体を検査する検査装置により取得される検査データとを記録するデータベースと、
前記生体データにおける異常値の発生、及び、異常値から正常値への回復を、イベントとして認識するイベント認識部と、
前記認識したイベントを発生時刻順に並べ、前記認識したイベント、前記動画データ及び前記検査データの時間軸を合わせた表示画面を作成する表示画面作成部と
を具備する手術情報管理装置。
【請求項２】
音声データを解析する音声解析部をさらに具備し、
前記データベースは、前記手術の最中に取得される音声データをさらに記録し、
前記イベント認識部は、前記データベースに記録されている音声データの解析結果を前記指示マスタに記録される情報と照合させることで、前記手術において実施された医療行為を前記イベントとしてさらに認識する請求項１記載の手術情報管理装置。
【請求項３】
前記手術において投与され得る薬剤についての情報が予め記録される薬剤マスタと、
前記手術において使用され得る器材についての情報が予め記録される器材マスタとをさらに具備し、
前記イベント認識部は、前記音声データの解析結果を前記薬剤マスタと照合させることで、前記イベントにおいて使用される薬剤を特定し、
前記イベント認識部は、前記音声データの解析結果を前記器材マスタと照合させることで、前記イベントにおいて使用される器材を特定し、
前記表示画面作成部は、前記認識したイベントと、前記特定した薬剤及び前記特定した器材とを関連付けて前記表示画面を作成する請求項２記載の手術情報管理装置。
【請求項４】
前記イベントについての動画データを再生する指示を受けると、前記イベントの発生から予め設定した秒数だけ遡って前記動画データを再生する再生制御部をさらに具備する請求項１乃至３のいずれかに記載の手術情報管理装置。
【請求項５】
前記イベント認識部により認識されたイベントを利用することで、手術内容をまとめた手術レポートを作成するレポート作成部をさらに具備する請求項１乃至４のいずれかに記載の手術情報管理装置。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
スピンドル（３０）に取り付けられた切削工具（４）を使用して被加工物（２）を機械加工するための方法であって、
（ａ）部品定義データを使用して、被加工物（２）に対する前記切削工具（４）の初期工具経路を定義することと、
（ｂ）前記切削工具（４）が、前記被加工物（２）に対する前記定義された初期工具経路に沿って、切削するようにすることと、
（ｃ）前記定義された初期工具経路に沿った前記切削の間の機械加工プロセス条件を表す、センサ（１８）データを受信することと、
（ｄ）機械加工プロセス力パラメータの値を決定するために、前記センサ（１８）データを処理すること、及び、
（ｅ）径方向切削深度が変更され、かつ、前記機械加工プロセス力パラメータの値が機械加工プロセス力制約を超過しないように、前記切削工具（４）が、前記被加工物（２）に対する修正された工具経路に沿って、切削するようにすること、を含み、
作業（ｂ）から（ｅ）までは、コンピュータシステム（５０）によって実行される、方法。
【請求項２】
前記センサ（１８）データが、
第１のセンサ（１８ａ）によって測定された前記スピンドル（３０）によって使用されている電力のデータと、
第２のセンサ（１８ｂ）によって測定された前記加工物（２）を支持するための支持テーブル（３６）の座標位置のデータとを含む、請求項１に記載の方法。
【請求項３】
前記機械加工プロセス力パラメータは、前記切削工具（４）の切削力及びスピンドルパワーのうちのいずれか又は両方である、請求項１に記載の方法。
【請求項４】
作業（ｅ）は、前記切削工具（４）又は前記被加工物（２）が現行の移動方向に対して垂直な一方向に移動するように、前記切削工具（４）又は前記被加工物（２）を互いに対して移動させることを含む、請求項１に記載の方法。
【請求項５】
びびりのレベルを検出し、次いで、前記検出されたびびりレベルが特定の安定性制約を超過しているか否かを判断することを更に含む、請求項１に記載の方法。
【請求項６】
前記切削工具（４）は、前記特定の安定性制約を超過しているびびりレベルの検出に応答して前記切削の径方向深度が低減するように、前記被加工物（２）に対する修正された工具経路に沿って切削する、請求項５に記載の方法。
【請求項７】
前記特定の安定性制約を超過しているびびりレベルの検出に応答して、前記切削工具（４）を置換することを更に含む、請求項５に記載の方法。
【請求項８】
フライス加工機であって、
回転可能なスピンドル（３０）と、
前記スピンドル（３０）の回転を駆動するための第１モータ（４２）と、
前記スピンドル（３０）に取り付けられた切削工具（４）と、
支持テーブル（３６）であって、前記スピンドル（３０）と前記支持テーブル（３６）は互いに対して可動式である、支持テーブル（３６）と、
前記スピンドル（３０）と前記支持テーブル（３６）を、それぞれ第１及び第２の軸に沿って、互いに対して移動させるための第２及び第３のモータ（４４及び４６）と、
一又は複数の機械加工プロセスパラメータの値を表すフィードバック信号を生成するための一又は複数のセンサ（１８）と、
前記一又は複数のセンサ（１８）から前記フィードバック信号を受信し、かつ、前記第１から第３までのモータ（４２、４４及び４６）にコマンド信号を送信するよう動作可能に連結されたコンピュータシステム（５０）と、を備え、前記コンピュータシステム（５０）は、以下の動作であって、
（ａ）前記切削工具（４）が、被加工物（２）に対する定義された初期工具経路に沿って切削するように、前記第２及び第３のモータ（４４と４６）を制御することと、
（ｂ）前記定義された初期工具経路に沿った切削の間に、前記一又は複数のセンサ（１８）からフィードバック信号を受信することと、
（ｃ）機械加工プロセス力パラメータの値を決定するために、前記フィードバック信号を処理すること、及び、
（ｄ）前記切削工具（４）が、前記被加工物（２）に対する修正された工具経路に沿って切削するように、前記第２及び第３のモータ（４４及び４６）を制御すること、という動作を、前記支持テーブル（３６）に取り付けられている被加工物（２）の機械加工中に実行するようプログラムされ、前記修正された工具経路の結果、径方向切削深度の変化、及び、機械加工プロセス力制約を超過していない前記機械加工プロセス力パラメータの値が実現する、フライス加工機。
【請求項９】
前記センサ（１８）が、
前記スピンドル（３０）によって使用されている電力を測定するための第１のセンサ（１８ａ）と、
前記支持テーブル（３６）の座標位置を測定するための第２のセンサ（１８ｂ）とを含む、請求項８に記載のフライス加工機。
【請求項１０】
前記機械加工プロセス力パラメータは、前記切削工具（４）の切削力及びスピンドルパワーのうちのいずれか又は両方である、請求項８に記載のフライス加工機。
【請求項１１】
前記機械加工プロセス力パラメータはスピンドルパワーである、請求項８に記載のフライス加工機。
【請求項１２】
作業（ｅ）は、前記切削工具（４）又は前記被加工物（２）が現行の移動方向に対して垂直な一方向に移動するように、前記切削工具（４）又は前記被加工物（２）を互いに対して移動させることを含む、請求項８に記載のフライス加工機。
【請求項１３】
びびりのレベルを検出し、次いで、前記検出されたびびりレベルが特定の安定性制約を超過しているか否かを判断するように更に構成されている、請求項８に記載のフライス加工機。
【請求項１４】
前記切削工具（４）は、前記特定の安定性制約を超過しているびびりレベルの検出に応答して前記切削の径方向深度が低減するように、前記被加工物（２）に対する修正された工具経路に沿って切削する、請求項１３に記載のフライス加工機。
【手続補正書】
【提出日】平成29年9月21日(2017.9.21)
【手続補正１】
【補正対象書類名】明細書
【補正対象項目名】発明の名称
【補正方法】変更
【補正の内容】
【発明の名称】推計システム、家庭内エネルギー消費管理システム、地域エネルギー管理システム、エネルギー消費実態の評価システム、エネルギー消費実態の可視化システム、エネルギー消費行動の改善提案システム、その方法、並びにそのシステムを搭載した電子機器及びサーバー
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
演算装置と、
前記演算装置上の表示部と、
前記表示部上の入出力部と、を有し、
前記入出力部は、前記表示部と重なる第１の領域と、前記第１の領域の両側に位置する第２の領域及び第３の領域とを有し、
前記入出力部は、前記第１の領域乃至前記第３の領域によって、コの字状の断面を有し、
前記入出力部は、使用者の手と重なる部分の位置情報を検知し、
前記第２の領域の前記位置情報から得られる面積と前記第３の領域の前記位置情報から得られる面積とを比較し、面積が大きいほうの重心を算出し、
前記表示部において、前記重心を中心とする円弧の位置に操作用画像を表示することを特徴とする情報処理装置。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
基部と、
平面視で前記基部の一端側から第１方向に延出している振動腕と、
平面視で前記基部の他端側に配置されている接続部と、
平面視で前記基部と前記接続部との間に配置され、前記基部と前記接続部とを連結している連結部と、
を含み、
前記振動腕は、
錘部と、
前記基部と前記錘部との間に配置されている腕部と、
を含み、
前記振動腕の厚さをＴ、
前記基部の前記第１方向と交差する第２方向に沿った幅をＷ１、
前記連結部の前記第２方向に沿った幅をＷ２としたとき、
５０μｍ≦Ｔ≦２１０μｍ
を満足しているとともに、
０．０６７≦Ｗ２／Ｗ１≦０．３３５
を満足し、
前記腕部の前記第２方向に沿った幅をＷ３、
前記錘部の前記第２方向に沿った幅をＷ４としたとき、
Ｗ４≧２．８×Ｗ３
を満足していることを特徴とする振動片。
【請求項２】
請求項１において、
１１０μｍ≦Ｔ≦２１０μｍを満足していることを特徴とする振動片。
【請求項３】
基部と、
平面視で前記基部の一端側から第１方向に延出している振動腕と、
平面視で前記基部の他端側に配置されている接続部と、
平面視で前記基部と前記接続部との間に配置され、前記基部と前記接続部とを連結している連結部と、
を含み、
前記振動腕は、
錘部と、
前記基部と前記錘部との間に配置されている腕部と、
を含み、
前記振動腕の厚さをＴ、
前記基部の前記第１方向と交差する第２方向に沿った幅をＷ１、
前記連結部の前記第２方向に沿った幅をＷ２としたとき、
５０μｍ≦Ｔ≦１００μｍ
を満足しているとともに、
０．６０３≦Ｗ２／Ｗ１≦０．８７１
を満足し、
前記腕部の前記第２方向に沿った幅をＷ３、
前記錘部の前記第２方向に沿った幅をＷ４としたとき、
Ｗ４≧２．８×Ｗ３
を満足していることを特徴とする振動片。
【請求項４】
請求項３において、
５０μｍ≦Ｔ≦８０μｍを満足していることを特徴とする振動片。
【請求項５】
請求項１ないし４のいずれか１項において、
前記接続部は、前記第２方向に沿って延出され、
前記接続部に接続され、前記第１方向に沿って延出している支持腕を含むことを特徴とする振動片。
【請求項６】
請求項１ないし５のいずれか１項において、
前記振動腕の互いに表裏の関係にある第１の主面および第２の主面の少なくとも一方の主面側に、溝が設けられていることを特徴とする振動片。
【請求項７】
請求項１ないし６のいずれか１項に記載の振動片と、
前記振動片が搭載されているパッケージと、
を備えていることを特徴とする振動子。
【請求項８】
請求項１ないし６のいずれか１項に記載の振動片と、
回路と、
を備えていることを特徴とする発振器。
【請求項９】
請求項１ないし６のいずれか１項に記載の振動片を備えていることを特徴とする電子機器。
【請求項１０】
請求項１ないし６のいずれか１項に記載の振動片を備えていることを特徴とする移動体。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の適用例として実現することが可能である。
［適用例１］
本適用例の振動片は、基部と、
平面視で前記基部の一端側から第１方向に延出している振動腕と、
平面視で前記基部の他端側に配置されている接続部と、
平面視で前記基部と前記接続部との間に配置され、前記基部と前記接続部とを連結している連結部と、
を含み、
前記振動腕は、
錘部と、
前記基部と前記錘部との間に配置されている腕部と、
を含み、
前記振動腕の厚さをＴ、
前記基部の前記第１方向と交差する第２方向に沿った幅をＷ１、
前記連結部の前記第２方向に沿った幅をＷ２としたとき、
５０μｍ≦Ｔ≦２１０μｍ
を満足しているとともに、
０．０６７≦Ｗ２／Ｗ１≦０．３３５
を満足し、
前記腕部の前記第２方向に沿った幅をＷ３、
前記錘部の前記第２方向に沿った幅をＷ４としたとき、
Ｗ４≧２．８×Ｗ３
を満足していることを特徴とする。
これにより、小型化を図りつつ、振動漏れの低減を図ることのできる振動片を提供することができる。
［適用例２］
本適用例の振動片では、１１０μｍ≦Ｔ≦２１０μｍを満足していることが好ましい。
これにより、振動特性をより向上させることができる。
【手続補正３】
【補正対象書類名】明細書
【補正対象項目名】０００７
【補正方法】変更
【補正の内容】
【０００７】
［適用例３］
本適用例の振動片は、基部と、
平面視で前記基部の一端側から第１方向に延出している振動腕と、
平面視で前記基部の他端側に配置されている接続部と、
平面視で前記基部と前記接続部との間に配置され、前記基部と前記接続部とを連結している連結部と、
を含み、
前記振動腕は、
錘部と、
前記基部と前記錘部との間に配置されている腕部と、
を含み、
前記振動腕の厚さをＴ、
前記基部の前記第１方向と交差する第２方向に沿った幅をＷ１、
前記連結部の前記第２方向に沿った幅をＷ２としたとき、
５０μｍ≦Ｔ≦１００μｍ
を満足しているとともに、
０．６０３≦Ｗ２／Ｗ１≦０．８７１
を満足し、
前記腕部の前記第２方向に沿った幅をＷ３、
前記錘部の前記第２方向に沿った幅をＷ４としたとき、
Ｗ４≧２．８×Ｗ３
を満足していることを特徴とする。
これにより、小型化を図りつつ、振動漏れの低減を図ることのできる振動片を提供することができる。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
反転入力端子、非反転入力端子および出力端子を有する比較器と、
２つの端子を有し、一方の端子は前記反転入力端子に接続され、他方の端子は前記出力端子に接続された第１のスイッチと、
２つの端子を有し、一方の端子にはアナログ信号が入力されるよう構成され、他方の端子は前記反転入力端子および前記第１のスイッチの前記一方の端子に接続された第１の容量と、
２つの端子を有し、一方の端子は前記非反転入力端子に接続され、他方の端子にはランプ信号が入力されるよう構成された第２の容量と、
２つの端子を有し、一方の端子が前記第２の容量の前記一方の端子および前記非反転入力端子に接続された第２のスイッチと
を備え、
前記比較器は、前記第１の容量を介して前記反転入力端子に入力される前記アナログ信号と、前記第２の容量を介して前記非反転入力端子に入力される前記ランプ信号とを比較した結果を前記出力端子から出力し、
前記第２のスイッチの導通状態において前記第２のスイッチの他方の端子から前記非反転入力端子に固定電圧が供給される
ことを特徴とする比較回路。
【請求項２】
前記第１のスイッチが導通状態にされた後に非導通状態にされ、前記比較器の出力電圧が前記第１の容量に保持される第１の状態と、
前記第１のスイッチが非導通状態にされ、前記ランプ信号が前記第２の容量の前記他方の端子に入力される第２の状態と
による回路動作を行うことを特徴とする請求項１に記載の比較回路。
【請求項３】
前記固定電圧および前記ランプ信号は、前記第２の容量の前記他方の端子および前記第２のスイッチの前記他方の端子に接続された同一の配線から選択的に供給されることを特徴とする請求項１または２に記載の比較回路。
【請求項４】
前記第１の状態において、さらに前記第２のスイッチが導通状態にされ、前記固定電圧が前記第２の容量の前記一方の端子および前記非反転入力端子に入力され、
前記第１の状態の後の前記第２の状態において、さらに前記第２のスイッチが非導通状態にされ、前記第２の容量の前記一方の端子と前記第２の容量の前記他方の端子の間の電位差が保持される
ことを特徴とする請求項２に記載の比較回路。
【請求項５】
行列状に配置され、各列から画素信号またはリセット信号を出力する複数の画素と、
前記画素信号または前記リセット信号を前記画素の各列から入力し、処理された前記画素信号または前記リセット信号を出力する読み出し回路と、
前記固定電圧または前記ランプ信号を参照信号として出力する参照信号生成部と、
前記読み出し回路から出力された前記画素信号または前記リセット信号が前記第１の容量を介して前記アナログ信号として入力され、かつ、前記参照信号生成部から出力された前記参照信号が前記第２の容量を介して入力される請求項１乃至４のいずれか１項に記載の比較回路と
を備えることを特徴とする撮像素子。
【請求項６】
前記読み出し回路は、前記画素信号または前記リセット信号の電圧を増幅するか、または増幅しないかを選択的に行う増幅器を備えることを特徴とする請求項５に記載の撮像素子。
【請求項７】
請求項５または６に記載の撮像素子と、
前記撮像素子から出力された信号を処理する信号処理部と
を備える撮像システム。
【請求項８】
反転入力端子、非反転入力端子および出力端子を有する比較器と、
２つの端子を有し、一方の端子は前記反転入力端子に接続され、他方の端子は前記出力端子に接続された第１のスイッチと、
２つの端子を有し、一方の端子にはアナログ信号が入力されるよう構成され、他方の端子は前記反転入力端子および前記第１のスイッチの前記一方の端子に接続された第１の容量と、
２つの端子を有し、一方の端子は前記非反転入力端子に接続され、他方の端子にはランプ信号が入力されるよう構成された第２の容量と、
２つの端子を有し、一方の端子が前記第２の容量の前記一方の端子および前記非反転入力端子に接続された第２のスイッチと
を備える比較回路の制御方法であって、
前記比較器は、前記第１の容量を介して前記反転入力端子に入力される前記アナログ信号と、前記第２の容量を介して前記非反転入力端子に入力される前記ランプ信号とを比較した結果を前記出力端子から出力し、
前記第２のスイッチの導通状態において前記第２のスイッチの他方の端子から前記非反転入力端子に固定電圧が供給される
ことを特徴とする比較回路の制御方法。
【手続補正２】
【補正対象書類名】明細書
【補正対象項目名】０００６
【補正方法】変更
【補正の内容】
【０００６】
このような目的を達成するために、本発明の第１の態様に係る比較回路は、反転入力端子、非反転入力端子および出力端子を有する比較器と、２つの端子を有し、一方の端子は前記反転入力端子に接続され、他方の端子は前記出力端子に接続された第１のスイッチと、２つの端子を有し、一方の端子にはアナログ信号が入力されるよう構成され、他方の端子は前記反転入力端子および前記第１のスイッチの前記一方の端子に接続された第１の容量と、２つの端子を有し、一方の端子は前記非反転入力端子に接続され、他方の端子にはランプ信号が入力されるよう構成された第２の容量と、２つの端子を有し、一方の端子は前記第２の容量の前記一方の端子および前記非反転入力端子に接続された第２のスイッチとを備え、前記ランプ信号と前記固定電圧はいずれか一方が選択的に入力され、前記ランプ信号が入力された場合に、前記比較器は、前記第１の容量を介して前記反転入力端子に入力される前記アナログ信号と、前記第２の容量を介して前記非反転入力端子に入力される前記ランプ信号とを比較した結果を前記出力端子から出力し、前記第２のスイッチの導通状態において前記第２のスイッチの他方の端子から前記非反転入力端子に固定電圧が供給されることを特徴とする。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
固有のコード識別子を複数の検出器のそれぞれと関連付けるステップであって、前記複数の検出器のうちの各検出器は少なくとも１つのサーバに情報を送信し、前記情報は各検出器の周囲の領域についての少なくとも１つの環境パラメータを含む、ステップと、
対応する検出器から離れたそれぞれの場所に、各固有のコード識別子の表示を配置するステップであって、それぞれの場所は、前記対応する検出器の周囲の前記領域の外にある、ステップと、
無線装置によって選択された検出器の表示を検知するステップと、
前記検知された表示に応答して、前記無線装置から、前記少なくとも１つのサーバに要求を送信するステップであって、前記要求は前記呼吸のコード識別子を含む、ステップと、
前記無線装置において、前記少なくとも１つのサーバから、前記固有のコード識別子を用いてそれぞれの検出器についての前記少なくとも１つの環境パラメータを得るステップであって、前記少なくとも１つの環境パラメータは、それぞれの検出器の周囲の前記領域に前記無線装置が入る前に得られる、ステップと、を含む方法。
【請求項２】
データが、有線媒体および無線媒体のうちの少なくとも１つによって送信され、
それぞれの場所に各識別子の表示として多次元バーコードを配置するステップを含む、請求項１に記載の方法。
【請求項３】
配置するステップは、それぞれの場所に、コード化多次元表示を設けるステップを含む、請求項１に記載の方法。
【請求項４】
前記コード化表示を配置するステップは、即時反応型のコード化表示を形成するステップを含む、請求項３に記載の方法。
【請求項５】
送信するステップは、前記複数の検出器からのデータ用の共通記憶装置を提供するステップを含む、請求項１に記載の方法。
【請求項６】
それぞれのコード識別子をそれぞれの検出器からのデータと関連付けるステップをさらに含む、請求項５に記載の方法。
【請求項７】
前記コード化表示を配置するステップは、即時反応型のコード化表示またはバーコード型表示のうちの１つを表示するステップを含む、請求項６に記載の方法。
【請求項８】
前記無線装置は、スマートフォン、タブレット型コンピュータ、または無線コンピュータのうちの少なくとも１つを含む、請求項１に記載の方法。
【請求項９】
少なくとも１つのサーバと、
複数の検出器であって、前記複数の検出器のうちの各検出器が、各検出器の周囲の領域を監視するように構成される、複数の検出器と、
複数の画像コードであって、各画像コードは前記複数の検出器のうちの検出器に対応し、各画像コードは前記対応する検出器の周囲の前記領域の外に配置される、複数の画像コードと、
前記複数の検出器から受信したデータを前記少なくとも１つのサーバに転送するように構成された通信回路機構と、
を備え、前記少なくとも１つのサーバは、
１つまたは複数の無線源からデータ要求を受信し、各データ要求がそれぞれの検出器およびそれぞれの検出器に対応する前記画像コードと関連付けられ、
前記画像コードを用いてそれぞれの検出器を識別し、
それぞれの検出器と関連付けられたデータを要求元に送信することによって、各データ要求に対する応答を提供する
ように構成される、システム。
【請求項１０】
前記画像コードは、多次元コードまたはバーコードのうちの１つを含む、請求項９に記載のシステム。
【請求項１１】
前記サーバは、コンピュータネットワークを介して前記検出器に結合される、請求項９に記載のシステム。
【請求項１２】
前記検出器は、有線または無線媒体のうちの少なくとも１つを介して前記サーバに結合される、請求項１１に記載のシステム。
【請求項１３】
前記サーバは、各検出器用の表示ＱＲコードの識別子を記憶すると共に、前記検出器用のデータを、記憶されたコードと関連付ける、請求項１２に記載のシステム。
【請求項１４】
複数の多次元画像コードが、監視されている領域に割り当てられ、各コードは、前記領域の少なくとも１つの検出器と関連付けられる、請求項１３に記載のシステム。
【請求項１５】
各コードは、それぞれの検出器と関連付けられた、ユニフォーム・リソース・ロケータを含む、請求項１４に記載のシステム。
【請求項１６】
前記コードは、ＱＲ型コードまたはバーコードのうちの１つを含む、請求項９に記載のシステム。
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
動画像データを構成する各ピクチャの画像データが階層符号化されて生成された、低階層側のピクチャの符号化画像データを持つ第１のビデオストリームと高階層側のピクチャの符号化画像データを持つ第２のビデオストリームを含む多重化ストリームを受信する受信部を備え、
上記受信された多重化ストリームに含まれる上記第１のビデオストリーム、あるいは上記第１のビデオストリームおよび上記第２のビデオストリームの双方から、最下位の階層から所望の階層までのピクチャの符号化画像データを取り出し、復号化処理を行って得られた各ピクチャの画像データのフレームレートを表示能力に合わせる処理部をさらに備える
受信装置。
【請求項２】
上記多重化ストリームは、上記第１のビデオストリームおよび上記第２のビデオストリームにそれぞれ対応して、各ビデオストリームに含まれる各ピクチャの符号化画像データに対応する階層の最大および最小の値を示す階層範囲情報を含み、さらに、上記第１のビデオストリームに対応して該第１のビデオストリームのレベル指定値が挿入された第１のデスクリプタと、上記第２のビデオストリームに対応して上記第１のビデオストリームおよび上記第２のビデオストリームを合わせたビデオストリームのレベル指定値が挿入された第２のデスクリプタを含み、
上記処理部は、上記階層範囲情報と、上記第１のデスクリプタおよび第２のデスクリプタに挿入されているビデオストリームのレベル指定値に基づいて、上記受信された多重化ストリームに含まれる上記第１のビデオストリーム、あるいは上記第１のビデオストリームおよび上記第２のビデオストリームの双方から、最下位の階層から所望の階層までのピクチャの符号化画像データを取り出す
請求項１に記載の受信装置。
【請求項３】
上記処理部は、デコード能力に応じて選択されたビデオストリームが持つ所定階層組のピクチャの符号化画像データを取り出し、復号化処理を行う
請求項１に記載の受信装置。
【請求項４】
上記符号化画像データはＮＡＬユニット構造を有し、上記第１のビデオストリームのＳＰＳのＮＡＬユニットに、上記第１のビデオストリームのレベル指定値が挿入されている
請求項１に記載の受信装置。
【請求項５】
上記高階層側のピクチャの符号化画像データのデコードタイミングが上記低階層側のピクチャの符号化画像データのデコードタイミングの中間タイミングとなるように、各ピクチャの符号化画像データにタイムスタンプが付与されている
請求項１に記載の受信装置。
【請求項６】
受信部が、動画像データを構成する各ピクチャの画像データが階層符号化されて生成された、低階層側のピクチャの符号化画像データを持つ第１のビデオストリームと高階層側のピクチャの符号化画像データを持つ第２のビデオストリームを含む多重化ストリームを受信する受信ステップを有し、
処理部が、上記受信された多重化ストリームに含まれる上記第１のビデオストリーム、あるいは上記第１のビデオストリームおよび上記第２のビデオストリームの双方から、最下位の階層から所望の階層までのピクチャの符号化画像データを取り出し、復号化処理を行って得られた各ピクチャの画像データのフレームレートを表示能力に合わせる処理ステップをさらに有する
受信方法。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
正極と、負極とを有する二次電池であって、
前記負極は、集電体と、前記集電体上の負極活物質層と、前記集電体と前記活物質層との間の合金と、前記負極活物質層上の被覆層とを有し、
前記負極活物質層は、負極活物質を有し、
前記被覆層は前記負極活物質の少なくとも一部と接しており、
前記合金は、前記負極活物質に含まれる金属または前記集電体に含まれる金属を有し、
前記負極活物質に含まれる前記金属は、融点が２５０℃以下であることを特徴とする二次電池。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
放電灯に駆動電力を供給する放電灯駆動部と、
前記放電灯駆動部を制御する制御部と、を備え、
前記制御部は、
第１駆動電力を前記放電灯に供給する第１駆動と、前記第１駆動電力以上且つ前記放電灯の定格電力以下である第２駆動電力を前記放電灯に供給する第２駆動と、を実行可能であり、
前記放電灯の立上期間において前記第２駆動を実行し、
前記放電灯の劣化の程度に応じて、前記立上期間において実行される前記第２駆動における前記放電灯に与える熱負荷を調整することを特徴とする放電灯駆動装置。
【請求項２】
請求項１に記載の放電灯駆動装置であって、
前記制御部は、前記放電灯の劣化が進行するに従って前記熱負荷を大きく設定することを特徴とする放電灯駆動装置。
【請求項３】
請求項１に記載の放電灯駆動装置であって、
前記制御部は、前記放電灯の劣化の程度が所定値よりも大きい場合、前記熱負荷を前記所定値における前記熱負荷以下に設定することを特徴とする放電灯駆動装置。
【請求項４】
請求項３に記載の放電灯駆動装置であって、
前記制御部は、前記放電灯の劣化の程度が前記所定値以下である場合、前記放電灯の劣化が進行するに従って、前記熱負荷を大きく設定することを特徴とする放電灯駆動装置。
【請求項５】
請求項４に記載の放電灯駆動装置であって、
前記制御部は、前記放電灯の劣化の程度が前記所定値よりも大きい場合、前記放電灯の劣化が進行するに従って、前記熱負荷を小さく設定することを特徴とする放電灯駆動装置。
【請求項６】
請求項１から５のいずれか一項に記載の放電灯駆動装置であって、
前記熱負荷を調整することは、前記第２駆動電力の値を調整することを含むことを特徴とする放電灯駆動装置。
【請求項７】
請求項６に記載の放電灯駆動装置であって、
前記制御部は、前記第２駆動電力の値を大きくすることで前記熱負荷を大きくし、前記第２駆動電力の値を小さくすることで前記熱負荷を小さくすることを特徴とする放電灯駆動装置。
【請求項８】
請求項１から７のいずれか一項に記載の放電灯駆動装置であって、
前記熱負荷を調整することは、前記立上期間において前記放電灯に供給される駆動電流の波形を調整することを含むことを特徴とする放電灯駆動装置。
【請求項９】
請求項８に記載の放電灯駆動装置であって、
前記制御部は、直流電流が前記放電灯に供給される直流駆動期間と、交流電流が前記放電灯に供給される交流駆動期間と、を交互に繰り返し、
前記制御部は、前記直流駆動期間の長さおよび前記交流駆動期間の長さを変化させることで前記熱負荷を調整することを特徴とする放電灯駆動装置。
【請求項１０】
請求項８に記載の放電灯駆動装置であって、
前記制御部は、直流電流が前記放電灯に供給される直流駆動期間と、交流電流が前記放電灯に供給される交流駆動期間と、を交互に繰り返し、
前記制御部は、前記交流駆動期間における前記交流電流の周波数を変化させることで前記熱負荷を調整することを特徴とする放電灯駆動装置。
【請求項１１】
請求項１０に記載の放電灯駆動装置であって、
前記制御部は、前記周波数を低くすることで前記熱負荷を大きくし、前記周波数を高くすることで前記熱負荷を小さくすることを特徴とする放電灯駆動装置。
【請求項１２】
請求項１から１１のいずれか一項に記載の放電灯駆動装置であって、
前記制御部は、前記第１駆動における前記放電灯の電極間電圧を参照することにより前記放電灯の劣化の程度を検出することを特徴とする放電灯駆動装置。
【請求項１３】
請求項１２に記載の放電灯駆動装置であって、
前記立上期間は、前記駆動電力が前記第２駆動電力へ向けて増加される第１立上期間を含み、
前記制御部は、前記第１立上期間内の任意の時点における電極間電圧を参照し、前記電極間電圧の参照結果から前記第１駆動における電極間電圧を推定することを特徴とする放電灯駆動装置。
【請求項１４】
請求項１２に記載の放電灯駆動装置であって、
前記制御部は、前回の放電灯点灯時に記憶された電極間電圧を次回の放電灯点灯時に読み出し、前記電極間電圧の読み出し結果から前記第１駆動における電極間電圧を推定することを特徴とする放電灯駆動装置。
【請求項１５】
光を射出する放電灯と、
請求項１から請求項１４までのいずれか一項に記載の放電灯駆動装置と、
を備えることを特徴とする光源装置。
【請求項１６】
請求項１５に記載の光源装置と、
前記光源装置から射出される光を映像信号に応じて変調する光変調素子と、
前記光変調素子により変調された光を投射する投射光学系と、
を備えることを特徴とするプロジェクター。
【請求項１７】
放電灯に駆動電力を供給して前記放電灯を駆動させる放電灯駆動方法であって、
第１駆動電力を前記放電灯に供給する第１駆動を実行するステップと、
前記第１駆動電力以上且つ前記放電灯の定格電力以下である第２駆動電力を前記放電灯
に供給する第２駆動を実行するステップと、
を備え、
前記放電灯の立上期間において前記第２駆動を実行し、
前記放電灯の劣化の程度に応じて、前記立上期間において実行される前記第２駆動における前記放電灯に与える熱負荷を調整することを特徴とする放電灯駆動方法。
【手続補正２】
【補正対象書類名】明細書
【補正対象項目名】０１１１
【補正方法】変更
【補正の内容】
【０１１１】
強負荷駆動における交流波形の周波数を低くすることで、強負荷駆動によって放電灯９０に与えられる熱負荷を大きくすることができ、強負荷駆動における交流波形の周波数を高くすることで、強負荷駆動によって放電灯９０に与えられる熱負荷を小さくすることができる。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を備えた遊技機において、
前記遊技領域に遊技球を発射するために遊技者によって操作されるハンドル部と、
前記ハンドル部の上方に設けられ、該ハンドル部に向けて手を振り下ろす動作の邪魔になる位置に突出する突出部と
を備えたことを特徴とする遊技機。
【手続補正２】
【補正対象書類名】明細書
【補正対象項目名】０００１
【補正方法】変更
【補正の内容】
【０００１】
本発明は、パチンコ機等の遊技機に関する。
【手続補正３】
【補正対象書類名】明細書
【補正対象項目名】０００４
【補正方法】変更
【補正の内容】
【０００４】
しかしながら、従来の構成では、苛立った遊技者が力任せに叩く行為等を行った場合に、遊技機が破損するおそれがあった。
【手続補正４】
【補正対象書類名】明細書
【補正対象項目名】０００５
【補正方法】変更
【補正の内容】
【０００５】
本発明は、上記に鑑みなされたもので、その目的は、遊技機が破損することを抑制する遊技機を提供することにある。
【手続補正５】
【補正対象書類名】明細書
【補正対象項目名】０００６
【補正方法】変更
【補正の内容】
【０００６】
上記の目的を達成するため本発明は、
遊技球が流下可能な遊技領域を備えた遊技機において、
前記遊技領域に遊技球を発射するために遊技者によって操作されるハンドル部と、
前記ハンドル部の上方に設けられ、該ハンドル部に向けて手を振り下ろす動作の邪魔になる位置に突出する突出部と
を備えたことを特徴とする。
【手続補正６】
【補正対象書類名】明細書
【補正対象項目名】０００７
【補正方法】変更
【補正の内容】
【０００７】
また、本発明とは別の発明として、以下の手段を参考発明として開示する。
参考発明の遊技機は、
外枠の前面に片開きの扉状に開閉可能なように装着された前面部材と、
該前面部材の前面下方位置に設けられた遊技操作用のハンドルと、
前記ハンドルの下側に遊技者側に向けて突設された受台と、を備えた遊技機において、
前記前面部材の前記受台の上方であって、機前の椅子に腰掛けた遊技者が前記受台に向けて手を振り下ろす動作の邪魔になる位置に障害部材を設けたことを特徴とする。
また、前記障害部材は、受台の上方に庇状に設けられ且つ上から下に貫通する貫通部を有するものであることを特徴とする。
【手続補正７】
【補正対象書類名】明細書
【補正対象項目名】０００８
【補正方法】変更
【補正の内容】
【０００８】
また、前記前面部材は、前記ハンドルより高所の位置に遊技球を入れる球皿を備えており、
一方、前記障害部材は、遊技者が前記受台に向けて手を振り下ろす動作の手の軌道を横切り得るように前記球皿の側方に設けられていることを特徴とする。
【手続補正８】
【補正対象書類名】明細書
【補正対象項目名】０００９
【補正方法】変更
【補正の内容】
【０００９】
本発明によれば、遊技機が破損することを抑制することができる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】